(57)【要約】【課題】  入賞装置に入球した遊技球の球噛みの発生を防止する。【解決手段】  遊技球Ｂが流下可能な遊技領域４ａを有する遊技盤４に、遊技球Ｂの流下方向を変化させる遊技釘１３を植設するとともに、遊技球Ｂが入球可能な入賞装置１７を備える弾球遊技機１において、入賞装置１７は、正面視において左右方向のいずれか一方に下向き傾斜する底面部２０ｄを有するケース２０と、ケース２０の上部に設けられ遊技球Ｂをケース２０の内部に入球可能に開口する入賞口１７１と、入賞口１７１への遊技球Ｂの入球を不能とする閉鎖位置及び可能とする開放位置に移動可能な開閉部材１７２と、底面部２０ｄの下流側に設けられ遊技球Ｂを導入可能な回収口２４とを有し、ケース２０内に、底面部２０ｄの上流側である左右方向のいずれか他方に膨出する拡張部２１を設け、入賞口１７１の上方の遊技領域４ａに、入賞口１７１に入球する遊技球Ｂを拡張部２１へ向けて誘導可能な誘導部１３ａを設ける。【選択図】  図４
2016034437.tif 000002
【特許請求の範囲】
【請求項１】
遊技球が流下可能な遊技領域を有する遊技盤に、遊技球の流下方向を変化させる遊技釘を植設するとともに、遊技球が入球可能な入賞装置を備える弾球遊技機において、
前記入賞装置は、
正面視において左右方向のいずれか一方に下向き傾斜する底面部を有するケースと、
前記ケースの上部に設けられ遊技球を前記ケースの内部に入球可能に開口する入賞口と、
前記入賞口への前記遊技球の入球を不能とする閉鎖位置及び可能とする開放位置に移動可能な開閉部材と、
前記底面部の下流側に設けられ遊技球を導入可能な回収口と、を有し、
前記ケース内に、前記底面部の上流側である左右方向のいずれか他方に膨出する拡張部を設け、前記入賞口の上方の遊技領域に、前記入賞口に入球する遊技球を前記拡張部へ向けて誘導可能な誘導部を設けたことを特徴とする弾球遊技機。
【請求項２】
前記拡張部を含む前記底面部の左右方向の幅寸法を、前記入賞口の左右方向の幅寸法より大とすることを特徴とする請求項１に記載の弾球遊技機。
【請求項３】
前記誘導部を、前記遊技釘とすることを特徴とする請求項１または２に記載の弾球遊技機。
【発明の詳細な説明】
【技術分野】
【０００１】
本発明は、弾球遊技機に係わり、特に遊技球が入球可能な入賞装置を備えた弾球遊技機に関する。
【背景技術】
【０００２】
従来、弾球遊技機においては、遊技球が打ち込まれる遊技領域に遊技状態が特別遊技状態になったとき遊技球が入球可能な入賞装置を備え、当該入賞装置の前面を透明部材により形成することで、入賞装置に入球した遊技球の転動が目視可能として、遊技の興趣を高めるようにしたものがある。
【０００３】
例えば、特許文献１に記載の弾球遊技機（特許文献１では「パチンコ遊技機」）においては、入賞装置の前面を透明部材で形成して、入賞装置の内部が遊技者から視認可能とするとともに、入賞装置内に入賞球カウンタを設けることで、入賞装置が閉じた状態でも入賞装置に入賞した遊技球の数を知ることができるようにしている。
【先行技術文献】
【特許文献】
【０００４】
【特許文献１】特開２０００−０２４２０２号公報
【発明の概要】
【発明が解決しようとする課題】
【０００５】
しかしながら、特許文献１に記載された弾球遊技機においては、入賞装置に複数の遊技球が同時に入賞した場合には、入賞装置の内部に設けた回収口で、遊技球が球噛み現象を起こし、遊技球が回収口から導出されない事態が発生する虞がある。
【０００６】
本発明は、かかる課題に鑑みなされたものであって、入賞装置に入球した遊技球の球噛みの発生を防止することができるようにした弾球遊技機を提供することを目的とする。
【課題を解決するための手段】
【０００７】
本発明によると、上記課題は、次のようにして解決される。
第１の発明は、遊技球が流下可能な遊技領域を有する遊技盤に、遊技球の流下方向を変化させる遊技釘を植設するとともに、遊技球が入球可能な入賞装置を備える弾球遊技機において、前記入賞装置は、正面視において左右方向のいずれか一方に下向き傾斜する底面部を有するケースと、前記ケースの上部に設けられ遊技球を前記ケースの内部に入球可能に開口する入賞口と、前記入賞口への前記遊技球の入球を不能とする閉鎖位置及び可能とする開放位置に移動可能な開閉部材と、前記底面部の下流側に設けられ遊技球を導入可能な回収口と、を有し、前記ケース内に、前記底面部の上流側である左右方向のいずれか他方に膨出する拡張部を設け、前記入賞口の上方の遊技領域に、前記入賞口に入球する遊技球を前記拡張部へ向けて誘導可能な誘導部を設ける。
【０００８】
第２の発明は、第１の発明において、前記拡張部を含む前記底面部の左右方向の幅寸法を、前記入賞口の左右方向の幅寸法より大とする。
【０００９】
第３の発明は、第１の発明または第２の発明において、前記誘導部を、前記遊技釘とする。
【発明の効果】
【００１０】
本発明によると、入賞装置に入球した遊技球が回収口に達するまでの時間を遅延させることができるため、球噛みの発生を防止することができる。
【図面の簡単な説明】
【００１１】
【図１】本発明に係る弾球遊技機１の斜め前方から見た斜視図である。
【図２】同じく弾球遊技機１における遊技盤４の正面図である。
【図３】同じく斜め前方から見た開閉部材１７２が閉鎖位置である入賞装置１７の斜視図である。
【図４】同じく斜め前方から見た開閉部材１７２が開放位置である入賞装置１７の斜視図である。
【図５】同じく要部の拡大正面図である。
【発明を実施するための形態】
【００１２】
以下、本発明を実施するための一実施形態を、添付図面を参照しながら詳述する。
なお、以下の実施形態は本出願の特許請求の範囲に係る発明を限定するものではなく、実施形態の中で説明される特徴の組み合わせの全てが発明の解決手段に必須であるとは限らない。
【００１３】
なお、以下の説明において弾球遊技機１の各部の左右方向は、その弾球遊技機１の正面に対面する者にとっての左右方向に合わせて説明する。
【００１４】
（弾球遊技機１の全体構造）
図１に示すように、弾球遊技機１は、遊技場の島設備に設置される矩形枠状の外枠２と、外枠２の左枠部に蝶番（図示略）により垂直軸回りに開閉自在に取り付けられる内枠３と、内枠３に装着され、各種要素が組み付けられる遊技盤４（図２参照）と、遊技盤４の前側にあって、内枠３の左枠部に上下の蝶番（図示略）により垂直軸回りに開閉自在に取り付けられ、遊技盤４の前面を閉塞し、遊技者が透視し得る透明な板であるガラス板（合成樹脂板）５ａを嵌め込んだガラス枠５と、遊技盤４の後側に設けられ賞球や貸球等の遊技球Ｂを払出可能な払出装置（図示略）と、ガラス枠５の下部に設けられ、払出装置から払い出される遊技球Ｂを貯留するための受皿部６と、ガラス枠５の下部裏側に設けられ受皿部６に貯留されている遊技球Ｂを導入して遊技盤４の前面に形成される遊技領域４ａへ向けて発射するための発射装置（図示略）と、ガラス枠５の前面右下部に設けられ受皿部６に貯留された遊技球Ｂを遊技領域４ａへ打ち出す際に操作される発射ハンドル７と、ガラス枠５の上部に設けられ遊技状況に応じた効果音を出力するスピーカ８Ｌ、８Ｒと、ガラス枠５に設けられ遊技状況に応じて点灯、消灯及び点滅する照明演出を行う電飾装置９と、遊技盤４の後側に設置される表示装置１０（図２参照）と、遊技盤４の裏側に設置され、遊技進行及び遊技演出を制御するためのマイクロコンピュータにより構成される各種制御装置（図示略）等とを備える。
なお、制御装置は、弾球遊技機１を統括して制御（大当たり抽選を含む）する主制御装置と、演出に係る制御（演出抽選を含む）を行う副制御装置とに分けて設けるようにしてもよい。
【００１５】
表示装置１０は、遊技盤４の後側に設置され、例えば液晶ディスプレイから構成されることで、ガラス板５ａを透して遊技者が視認可能な表示画面１０１（図２参照）に遊技に係わる情報である各種キャラクタや左列、中列、右列の３列の数字等で構成される演出図柄（図示略）を変動、停止表示すると共に、そのときの遊技状態に応じた動画を表示することによって遊技の盛り上げ演出を行う。
【００１６】
（遊技盤４及びそれに関係する構造）
図２に示すように、遊技盤４は、アクリル樹脂等の透明合成樹脂板により正面視ほぼ方形に形成されると共に、前面には、内外のガイドレール１１、１１によって包囲される円形（楕円形を含む）の遊技領域４ａが形成される。受皿部６に貯留された遊技球Ｂは、発射ハンドル７が回転操作されることにより、発射装置から発射されて、内外のガイドレール１１、１１により左斜め上方へ誘導されて、遊技領域４ａの左上部から遊技領域４ａ内に導入されて流下可能となる。
【００１７】
遊技盤４の遊技領域４ａの略中央部には、表示画面１０１に表示される演出図柄を視認し得るように開口する表示窓１２１を有すると共に、表面に各種模様が施された正面視で枠状の装飾枠１２が固定される。
なお、遊技盤４における表示窓１２１以外の一部の領域は、模様、彩色等が施された不透明の装飾板等が貼着されることにより、弾球遊技機１の内部構造が見えないように隠蔽される。
【００１８】
さらに、遊技領域４ａには、遊技領域４ａに打ち込まれた遊技球Ｂの流下方向を変化させる多数の遊技釘１３及び風車１４と、表示窓１２１の下方にあって、遊技領域４ａの左領域（装飾枠１２の左側の領域）を流下する遊技球Ｂのうち装飾枠１２の左部に設けられたワープ孔１２２に進入したワープ球（遊技球Ｂ）を中央に向かって導入し、当該ワープ球を左右及び前後方向へ転動させ得るステージ１２３と、ステージ１２３の下方にあって、遊技領域４ａを流下する遊技球Ｂ及びステージ１２３の前側から落下したワープ球が入球可能な始動入賞口（入賞口）１５と、遊技領域４ａの右領域（装飾枠１２の右側の領域）にあって、右領域を流下する遊技球Ｂが通過可能なスルーチャッカ１６と、始動入賞口１５の右方にあって、遊技球Ｂの始動入賞口１５への入賞を契機に行われる抽選の結果に基づいて遊技状態が通常の遊技状態（以下、通常遊技状態という）から大当たり遊技状態に移行した場合、遊技領域４ａの右領域を流下する右打ちされた遊技球Ｂ（右打ち遊技球Ｂ）が入球可能な入賞装置１７と、遊技領域４ａの最下端部にあって、遊技領域４ａに打ち込まれた遊技球Ｂのうち始動入賞口１５、及び入賞装置１７に入球しなかったアウト球（遊技球Ｂ）を遊技盤４の裏面側に排出するアウト口１８とが設けられる。
【００１９】
また、始動入賞口１５の内部には、遊技球Ｂの入球を検知するための検知センサ（図示略）が設けられており、さらに、入賞装置１７の内部には遊技球Ｂの入球を検知するための、後述の検知センサ２５及び検知センサ１７６ａが設けられており、それぞれ遊技球Ｂの入球を検知すると、所定個数の遊技球Ｂが賞球として遊技者に払い出される。
なお、以下、遊技球Ｂが、始動入賞口１５に入球し検知センサによって検知されたことを入賞といい、同様に、遊技球Ｂが、入賞装置１７（後述の大入賞口１７１又は特別入賞口１７３）に入球し検知センサ２５又は検知センサ１７６ａによって検知されたことを入賞という。
【００２０】
右打ち遊技球Ｂは、装飾枠１２の上面及び右外周面に形成される右打ち通路１２４を通過して遊技領域４ａの右領域に導かれる。遊技領域４ａの右下領域に導出された右打ち遊技球Ｂは、スルーチャッカ１６を通過可能となり、入賞装置１７に入球可能となる。
【００２１】
なお、始動入賞口１５は、常時上向きに開口した遊技球入賞口であり、入賞装置１７は、上部に設けた大入賞口（入賞口）１７１を開閉し得るように、前後方向へスライド移動可能な開閉部材１７２を有し、大当たり遊技状態に移行した場合、開閉部材１７２が大入賞口１７１を閉鎖する閉鎖位置から開放する開放位置に移動することで、遊技球Ｂの大入賞口１７１への入賞を可能にする。
【００２２】
さらに、入賞装置１７は、大入賞口１７１の右上部であって、上部に設けた特別入賞口１７３を開閉し得るように、前後方向へスライド移動可能な開閉部材１７４を有し、大当たり遊技状態の特別遊技状態に移行した場合、開閉部材１７４が特別入賞口１７３を閉鎖する閉鎖位置から開放する開放位置に移動することで、遊技球Ｂの特別入賞口１７３への入賞を可能とする。
【００２３】
通常遊技状態の場合、受皿部６に貯留されている遊技球Ｂが発射装置により発射され、遊技領域４ａに打ち込まれた遊技球Ｂが始動入賞口１５に入賞すると、これを契機に、弾球遊技機１の裏側に設けられる制御装置により実行される抽選の結果、所定の変動パターンに基づいて、表示画面１０１に演出図柄を所定の演出態様で表示する視覚演出を所定時間行った後、演出図柄が特定の組み合わせで確定表示し、大当たり遊技状態が生起した場合には、入賞装置１７の開閉部材１７２が開放位置に移動する。
【００２４】
大入賞口１７１が開放し、大入賞口１７１に遊技球Ｂが１０個入賞するか、または開閉部材１７２が開放位置に移動してから３０秒が経過すると、開閉部材１７２は閉鎖位置に移動する。
【００２５】
また、入賞装置１７内に設けた検知センサ２５が、入賞装置１７の大入賞口１７１に入賞した遊技球Ｂが特定領域を通過したことを検出した場合には、大入賞口１７１が閉鎖後に再度開放する。
これにより、大当たり遊技状態のときには、開放状態にある入賞装置１７の大入賞口１７１に多数の遊技球Ｂが入賞可能となり、賞球払出装置（図示略）から賞球として大量の遊技球Ｂが短時間に受皿部６に払い出される。また、入賞装置１７に入賞した遊技球Ｂは遊技盤４の後側に排出される。
【００２６】
次に、本発明に係る入賞装置１７について説明する。
なお、図３〜図５の入賞装置１７は、前面に設けた後述の透明カバー１７５を取り外した状態で示している。
【００２７】
図３〜５に示すように、入賞装置１７は、遊技盤４における遊技領域４ａの右下領域に設置され、遊技盤４の盤面に平行に固定されるベース部１９と、ベース部１９の前面に形成され前方及び上方が開口するケース２０と、ケース２０の前側を閉塞するアクリル樹脂等の透明合成樹脂板で形成される透明カバー１７５（図２参照）と、ケース２０の上部に形成される大入賞口１７１と、大入賞口１７１の真上に設置され、大入賞口１７１を開閉し得るように前後方向へスライド移動可能な開閉部材１７２とを有する。
【００２８】
また、入賞装置１７は、ケース２０の右側及び下側にあって、正面視クランク状の誘導路１７６と、誘導路１７６内に設けられる検知センサ１７６ａとを有する。これにより、遊技球Ｂが特別入賞口１７３に入球し、誘導路１７６内の検知センサ１７６ａを通過することで入賞となる。
【００２９】
ベース部１９は、遊技領域４ａに固定されることで、右下領域を流下する遊技球Ｂを大入賞口１７１が設けられた左方向へ誘導する正面視左下り傾斜の誘導路１９１を形成する。
また、誘導路１９１は、特別入賞口１７３の真上に前後方向へスライド移動可能に支持される開閉部材１７４が、閉鎖位置にある場合、開閉部材１７４の上面１７４ａと略同一面と為る。
【００３０】
ケース２０は、ベース部１９の前面から前方へ突出するように形成され、右部を形成する縦方向の右壁部２０ａと、左部を形成する縦方向の左壁部２０ｂと、右壁部２０ａ及び左壁部２０ｂの両上端部同士を連結する上面部２０ｃと、右壁部２０ａ及び左壁部２０ｂの両下端部同士を連結し、正面視において左右方向のいずれか一方（本実施形態においては、左側）に下向き傾斜する、つまり右側から左側へ向けて下り傾斜する底面部２０ｄと、右壁部２０ａ、左壁部２０ｂ、上面部２０ｃ、及び底面部２０ｄの後部を閉塞する後面部２０ｅとを有し、上面部２０ｃの間には、左右方向に延伸する長孔によって大入賞口１７１が形成される。
【００３１】
また、ケース２０内には、大入賞口１７１の上流側の端縁（本実施形態においては、右側端縁１７１ａ）よりも、さらに上流側である左右方向のいずれか他方、すなわち右側に膨出する拡張部２１が形成される。拡張部２１は、右壁部２０ａ、上面部２０ｃ、及び底面部２０ｄによってコ字型に囲まれている。
これにより、拡張部２１を含む底面部２０ｄの左右方向の幅寸法は、大入賞口１７１の左右方向の幅寸法より大となる。
【００３２】
底面部２０ｄは、左右方向を長手とし、前後方向である奥行寸法は、遊技球Ｂの直径よりも大とし、かつ遊技球Ｂが球づまりを起こさない寸法とする。
【００３３】
ケース２０における右壁部２０ａ、左壁部２０ｂ、上面部２０ｃ、底面部２０ｄ及び後面部２０ｅにより包囲される空間部２２内にあって、底面部２０ｄの下流側、すなわち左壁部２０ｂと底面部２０ｄとの間には、底面部２０ｄの下流側の左端縁より低位置であって、大入賞口１７１に入球した遊技球Ｂを遊技盤４の裏側へ導入するための前後方向を向く導入路２３が設けられ、導入路２３の後方、すなわち後面部２０ｅの左下部には、大入賞口１７１に入球した遊技球Ｂを遊技盤４の裏側へ排出するための回収口２４が設けられ、回収口２４内には、回収口２４に導入された遊技球Ｂの通過を検知するための検知センサ２５が設けられる。
【００３４】
導入路２３は、左右方向である幅寸法を遊技球Ｂの直径よりも大とし、かつ遊技球Ｂが球づまりを起こさない寸法とする。導入路２３の前方には、導入路２３から遊技盤４の裏側へ向けて流下する遊技球Ｂが回収口２４に円滑に導入するように誘導片２３ａが設けられる。
【００３５】
開閉部材１７２は、大入賞口１７１の真上に前後方向へスライド移動可能に支持され、ベース部１９の裏側に設置される駆動装置（ソレノイド）２６の動力により、図３に示すように、ベース部１９の表面から突出し、大入賞口１７１を上側から閉鎖する閉鎖位置と、図４に示すように、後方向へ移動することでベース部１９の裏側へ没入し、大入賞口１７１を開放する開放位置に移動することができる。
【００３６】
遊技領域４ａにあって、大入賞口１７１の右側端縁１７１ａの左斜め上方で、かつ誘導路１９１の左方の領域には、図５に示すように、誘導路１９１の最下流、つまり左端縁から遊技球Ｂの直径より大とし、かつ球づまりを起こさない間隙を形成する位置に、誘導部である遊技釘１３ａが上下方向に複数本（本実施形態では、３本）植設されている。
これにより、開閉部材１７２が開放位置にある場合、右打ち遊技球Ｂは、遊技釘１３ａに衝突することで、拡張部２１に向かって落下することが可能となる。
【００３７】
また、遊技釘１３ａは、右打ち遊技球Ｂが、ケース２０の拡張部２１に向かって落下するように角度を調節し、配置するのが好ましい。
【００３８】
開閉部材１７２が閉鎖位置にある場合、上面１７２ａが誘導路１９１と同様に、右下領域を流下する遊技球Ｂを左方向へ誘導する正面視左下り傾斜した形態で大入賞口１７１を閉鎖することで、右打ち遊技球Ｂの大入賞口１７１への入球を不能とするとともに、図４に示すように、開閉部材１７２が開放位置にある場合、誘導路１９１により誘導された右打ち遊技球Ｂの大入賞口１７１への入球を可能にする。
【００３９】
入賞装置１７の開閉部材１７２が開放位置にある場合、図５に示すように、例えば、矢印Ｘ１または矢印Ｘ２から流下する右打ち遊技球Ｂが、遊技釘１３ａに衝突することで大入賞口１７１に入球すると、当該入球した遊技球Ｂは、図４及び図５に遊技球Ｂの落下方向を矢印で示すように、大入賞口１７１の右部から入球して拡張部２１に誘導され、空間部２２の上流側、つまり下流側に設けた回収口２４にすぐに向かうことなく、一旦底面部２０ｄの右側の上流側へ向かって誘導された後、折り返し、底面部２０ｄの左側へ向かって転動して回収口２４に導入（入球）可能となる。これにより、大入賞口１７１に入賞した遊技球Ｂが回収口２４に到達するまでの時間が遅延するため、遊技球Ｂが大入賞口１７１に連続して入球しても、複数の遊技球Ｂが一気に回収口２４に導入することを防ぎ、空間部２２内で遊技球Ｂの球噛現象を防止することができる。
【００４０】
また、回収口２４の略真上は、上面部２０ｃが配置され、大入賞口１７１の左側端縁は、回収口２４よりも上流側とすることで、右打ち遊技球Ｂが大入賞口１７１に入球しても、遊技球Ｂが回収口２４に直接導入されることはなく、大入賞口１７１の右部以外から入球し、拡張部２１に向かうことなく遊技球Ｂが入球した場合には、遊技球Ｂは、底面部２０ｄに落下したあと、底面部２０ｄの左側の下流に向けて適宜転動して回収口２４に導入（入球）可能となる。これにより、大入賞口１７１に入球した遊技球Ｂは、底面部２０ｄを転動したあとに回収口２４に到達するため、遊技球Ｂが大入賞口１７１に連続して入球しても、複数の遊技球Ｂが一気に回収口２４に導入することを防ぎ、空間部２２内での遊技球Ｂの球噛み現象を防止することができる。
【００４１】
また、ケース２０の前側は、透明カバー１７５によりケース２０の空間部２２を流下する遊技球Ｂを遊技者が視認可能に覆われていることによって、遊技球Ｂが大入賞口１７１に入球した様子を視認することができ、遊技の興趣が高まる。
【００４２】
以上、本発明の実施形態について説明したが、本発明の趣旨を逸脱しない範囲内で、本実施形態に対して、次のような変形や変更を施すことが可能である。
誘導部を遊技釘１３ａに代えて、右打ち遊技球Ｂが衝突することで、ケース２０内の拡張部２１に向かうような舌片状とし、遊技球Ｂが回収口２４に導入するまでに整列するように流下させることで、球噛みを防止する。
【符号の説明】
【００４３】
１  弾球遊技機
２  外枠
３  内枠
４  遊技盤
４ａ  遊技領域
５  ガラス枠
５ａ  ガラス板
６  受皿部
７  発射ハンドル
８Ｌ、８Ｒ  スピーカ
９  電飾装置
１０  表示装置
１１  ガイドレール
１２  装飾枠
１３  遊技釘
１３ａ  遊技釘（誘導部）
１４  風車
１５  始動入賞口（入賞口）
１６  スルーチャッカ
１７  入賞装置
１８  アウト口
１９  ベース部
２０  ケース
２０ａ  右壁部
２０ｂ  左壁部
２０ｃ  上面部
２０ｄ  底面部
２０ｅ  後面部
２１  拡張部
２２  空間部
２３  導入路
２３ａ  誘導片
２４  回収口
２５  検知センサ
２６  駆動装置（ソレノイド）
１０１  表示画面
１２１  表示窓
１２２  ワープ孔
１２３  ステージ
１２４  右打ち通路
１７１  大入賞口（入賞口）
１７１ａ  右側端縁
１７２  開閉部材
１７２ａ  上面
１７３  特別入賞口
１７４  開閉部材
１７４ａ  上面
１７５  透明カバー
１７６  誘導路
１７６ａ  検知センサ
１９１  誘導路
Ｂ  遊技球
Ｘ１  矢印
Ｘ２  矢印
【図１】
2016034437.tif 000003
【図２】
2016034437.tif 000004
【図３】
2016034437.tif 000005
【図４】
2016034437.tif 000006
【図５】
2016034437.tif 000007